(57)【要約】  操作部（11）は、操作者により操作される複数の操作キー（50）と、情報が表示される複数の表示部（70）とを有している。複数の操作キー（50）には、溶接シーケンスを選択するための操作が与えられるシーケンス選択キー（51）が含まれている。複数の表示部（70）には、シーケンス選択キー（51）の操作により選択された溶接シーケンスに応じたシーケンス波形が表示される波形表示部（71）が含まれている。
2019203279.tif 000002
【特許請求の範囲】
【請求項１】
溶接条件の設定と表示を行う操作部を備え、
前記操作部は、
操作者により操作される複数の操作キーと、
情報が表示される複数の表示部とを有し、
前記複数の操作キーには、溶接シーケンスを選択するための操作が与えられるシーケンス選択キーが含まれており、
前記複数の表示部には、前記シーケンス選択キーの操作により選択された溶接シーケンスに応じたシーケンス波形が表示される波形表示部が含まれている
ことを特徴とする溶接機。
【請求項２】
請求項１において、
前記操作部を制御する操作制御部を備え、
前記操作制御部は、前記シーケンス選択キーがタッチされると、該シーケンス選択キーのタッチに応じて前記波形表示部に表示されるシーケンス波形が変化するように前記操作部を制御する
ことを特徴とする溶接機。
【請求項３】
請求項２において、
前記操作制御部は、前記波形表示部に表示されたシーケンス波形の一部がタッチされると、該シーケンス波形の一部に対応する溶接シーケンスの一部に関する設定を行う部分設定処理が開始されるように前記操作部を制御する
ことを特徴とする溶接機。
【請求項４】
請求項３において、
前記複数の表示部には、任意の数値が表示される数値表示部が含まれており、
前記部分設定処理では、前記溶接シーケンスの一部に関する電流値または電圧値が設定され、該電流値または電圧値が前記数値表示部に表示される
ことを特徴とする溶接機。
【請求項５】
請求項２〜４のいずれか１項において、
前記複数の操作キーは、点灯状態と消灯状態とに切り換え可能であり、
前記操作制御部は、前記複数の操作キーのうち操作が有効となる操作キーが点灯状態となり操作が有効とならない操作キーが消灯状態となるように前記操作部を制御する
ことを特徴とする溶接機。
【請求項６】
請求項５において、
前記複数の操作キーは、前記点灯状態における点灯の態様が切り換え可能であり、
前記操作制御部は、前記複数の操作キーのうち次に操作されることが推奨される操作キーの点灯の態様が次に操作されることが推奨されない操作キーの点灯の態様と異なる態様となるように前記操作部を制御する
ことを特徴とする溶接機。
【請求項７】
請求項２〜６のいずれか１項において、
前記操作部は、
シート状に形成されて前記複数の操作キーと前記複数の表示部とが設けられた操作パネルと、
前記複数の操作キーにそれぞれ対応し、該複数の操作キーのタッチをそれぞれ検知する複数のキータッチセンサとを有し、
前記操作制御部は、前記複数のキータッチセンサによる検知の結果に基づいて前記複数の操作キーのタッチをそれぞれ検出する
ことを特徴とする溶接機。
【請求項８】
請求項７において、
前記操作部は、操作者により操作が与えられるスライダホイールを有し、
前記スライダホイールは、環状に形成されて前記操作パネルに設けられ、
前記スライダホイールの外周縁部の面高さは、該スライダホイールのうち該外周縁部よりも該スライダホイールの中心側の部分の面高さよりも高くなっている
ことを特徴とする溶接機。
【発明の詳細な説明】
【技術分野】
【０００１】
ここに開示する技術は、溶接機に関する。
【背景技術】
【０００２】
従来、溶接条件の設定と表示を行う操作部を備えた溶接機が知られている。例えば、特許文献１には、操作部に第１の表示部と第２の表示部を備えた溶接機が開示されている。この溶接機では、第１の表示部とは別体の第２の表示部の画面全体が第１の表示部に表示される表示内容に対応して消灯状態から点灯または点滅に切り替わると共に、第１の表示部に表示される表示内容に対応する文字情報が第２の表示部に表示されて作業者に通知される。
【先行技術文献】
【特許文献】
【０００３】
【特許文献１】特開２０１６−９３８４１号公報
【発明の概要】
【発明が解決しようとする課題】
【０００４】
しかしながら、特許文献１の溶接機では、操作者は、設定されている溶接シーケンスの状態を目視で確認することができない。そのため、操作者は、溶接機の操作を容易に行うことが困難である。
【課題を解決するための手段】
【０００５】
ここに開示する技術は、溶接機に関する。この溶接機は、溶接条件の設定と表示を行う操作部を備えている。前記操作部は、操作者により操作される複数の操作キーと、情報が表示される複数の表示部とを有している。前記複数の操作キーには、溶接シーケンスを選択するための操作が与えられるシーケンス選択キーが含まれている。前記複数の表示部には、前記シーケンス選択キーの操作により選択された溶接シーケンスに応じたシーケンス波形が表示される波形表示部が含まれている。
【発明の効果】
【０００６】
ここに開示する技術によれば、設定されている溶接シーケンスの状態を操作者が目視で確認することができるので、操作者による溶接機の操作を容易にすることができる。
【図面の簡単な説明】
【０００７】
【図１】実施形態による溶接機の構成を例示する概略図である。
【図２】操作部の構成を例示する平面図である。
【図３】操作部の要部の構成を例示する平面図である。
【図４】起動処理について説明するための平面図である。
【図５】シーケンス選択処理について説明するための遷移図である。
【図６】部分設定処理について説明するための平面図である。
【発明を実施するための形態】
【０００８】
以下、実施の形態を図面を参照して詳しく説明する。なお、図中同一または相当部分には同一の符号を付しその説明は繰り返さない。
【０００９】
（溶接機）
図１は、実施形態による溶接機１０の構成を例示している。溶接機１０は、溶接（例えばアーク溶接）を行うための装置であり、操作部１１と、操作制御部１２と、記憶部１３と、溶接出力部１４と、溶接制御部１５とを備えている。操作部１１は、溶接条件の設定と表示を行う。操作制御部１２は、操作部１１を制御する。例えば、操作制御部１２は、ＣＰＵ（演算処理部）と、ＣＰＵを動作させるためのプログラムや情報などを記憶するメモリとによって構成されている。記憶部１３は、情報を記憶する。記憶部１３には、操作部１１に表示される画像の情報（画像情報）や、溶接条件に関する情報や、溶接機１０の動作を制御するために用いられる情報（制御情報）などが記憶されている。溶接出力部１４は、溶接出力（例えば溶接電流の供給）を行う。溶接制御部１５は、操作部１１において設定された溶接条件に応じて溶接出力部１４を制御する。例えば、溶接制御部１５は、ＣＰＵ（演算処理部）と、ＣＰＵを動作させるためのプログラムや情報などを記憶するメモリとによって構成されている。
【００１０】
〔操作部〕
図１，図２，図３に示すように、操作部１１は、操作パネル２０と、複数のタッチセンサ３０と、発光部４０とを有している。
【００１１】
操作パネル２０は、シート状に形成されている。また、この例では、操作パネル２０には、複数の操作キー５０と、１つまたは複数（この例では１つ）のスライダホイール６０と、複数の表示部７０と、表示ウィンドウ８０とが設けられている。
【００１２】
複数のタッチセンサ３０は、操作パネル２０の背面側に設けられ、予め定められた位置にそれぞれ配置されている。そして、複数のタッチセンサ３０の各々は、そのタッチセンサ３０が配置された位置において操作パネル２０がタッチされたことを検知する。例えば、タッチセンサ３０は、静電容量式のタッチセンサによって構成されている。
【００１３】
発光部４０は、操作パネル２０に設けられた複数の操作キー５０とスライダホイール６０と複数の表示部７０とに光を選択的に照射することで、複数の操作キー５０とスライダホイール６０と複数の表示部７０とを選択的に点灯させる。例えば、発光部４０は、発光ダイオードなどの複数の発光素子によって構成されている。
【００１４】
〔操作キー〕
複数の操作キー５０は、操作者により操作（具体的にはタッチ）される。この例では、複数の操作キー５０の各々に対してシンボル（図柄や文字など）が割り当てられ、操作キー５０のシンボルに応じた形状を有する透光部（光を通過させる部分）を操作パネル２０に形成することにより、操作キー５０が操作パネル２０に設けられている。
【００１５】
また、この例では、複数の操作キー５０は、点灯状態と消灯状態とに切り換え可能となっている。具体的には、操作キー５０を構成する透光部（その操作キー５０のシンボルに応じた形状を有する透光部）に対して発光部４０からの光が照射されることにより、操作キー５０が点灯状態となり、操作キー５０を構成する透光部に対する光の照射が中止されることにより、操作キー５０が消灯状態となる。ここで、点灯状態には、連続的に点灯している状態や間欠的に点灯している状態（すなわち点滅している状態）が含まれている。
【００１６】
〔操作キーの種類〕
この例では、複数の操作キー５０には、シーケンス選択キー５１や、電流電圧切り換えキー５２や、ホームキー５３や、シフトキー５４や、メニューキー５５などが含まれている。
【００１７】
シーケンス選択キー５１には、溶接シーケンスを選択するための操作が与えられる。具体的には、シーケンス選択キー５１がタッチされることにより、溶接シーケンスを選択するための処理（シーケンス選択処理）が行われる。
【００１８】
電流電圧切り換えキー５２は、後述する部分設定処理において電圧値と電流値とを切り換えるための操作が与えられる。具体的には、電流電圧切り換えキー５２がタッチされることにより、後述する部分設定処理において電圧値と電流値とが切り換えられる。
【００１９】
ホームキー５３には、表示ウィンドウ８０にホーム画面（説明を省略）を表示するための操作が与えられる。シフトキー５４には、シフト操作を行うための操作が与えられる。メニューキー５５には、表示ウィンドウ８０にメニュー画面（説明を省略）を表示するための操作が与えられる。
【００２０】
〔キータッチセンサ〕
なお、上述の複数のタッチセンサ３０には、複数の操作キー５０にそれぞれ対応する複数のキータッチセンサ３１が含まれている。複数のキータッチセンサ３１は、複数の操作キー５０のタッチをそれぞれ検知する。この例では、複数のキータッチセンサ３１は、複数の操作キー５０の背面側にそれぞれ配置されている。そして、複数のキータッチセンサ３１による検知の結果（検知信号）は、操作制御部１２に送信される。これにより、操作制御部１２は、複数のキータッチセンサ３１による検知の結果に基づいて複数の操作キー５０のタッチをそれぞれ検出することができる。
【００２１】
〔スライダホイール〕
スライダホイール６０は、操作者により操作（具体的にはスライダホイール６０をなぞる操作）が与えられる。この例では、スライダホイール６０は、平面視において環状（この例では円環状）に形成されている。具体的には、スライダホイール６０の外形に応じた形状（この例では円環形状）を有する透光部を操作パネル２０に形成することにより、スライダホイール６０が操作パネル２０に設けられている。
【００２２】
また、この例では、スライダホイール６０の外周縁部の面高さは、スライダホイール６０のうち外周縁部よりもスライダホイール６０の中心側の部分（以下「内周部」と記載）の面高さよりも高くなっている。具体的には、この例では、スライダホイール６０の外周縁部を円環状の凸部で構成することで、スライダホイール６０の外周縁部の面高さがスライダホイール６０の内周部の面高さよりも高くなっている。なお、スライダホイール６０の内周部を円環状の凹部により構成することで、スライダホイール６０の外周縁部の面高さがスライダホイール６０の内周部の面高さよりも高くなっていてもよい。
【００２３】
また、この例では、スライダホイール６０は、点灯状態と消灯状態とに切り換え可能となっている。具体的には、スライダホイール６０の外周縁部を構成する円環状の透光部に対して発光部４０からの光が照射されることにより、スライダホイール６０が点灯状態となり、その円環状の透光部に対する光の照射が中止されることにより、スライダホイール６０が消灯状態となる。
【００２４】
〔スライダホイールタッチセンサ〕
なお、上述の複数のタッチセンサ３０には、スライダホイール６０に対応する複数（図３の例では８つ）のスライダホイールタッチセンサ３２が含まれている。複数のスライダホイールタッチセンサ３２は、スライダホイール６０に与えられた操作を検知する。この例では、複数のスライダホイールタッチセンサ３２は、スライダホイール６０の背面側において円環状に配列されている。そして、複数のスライダホイールタッチセンサ３２による検知の結果（検知信号）は、操作制御部１２に送信される。これにより、操作制御部１２は、複数のスライダホイールタッチセンサ３２による検知の結果に基づいてスライダホイール６０に与えられた操作を検出することができる。
【００２５】
〔表示部〕
複数の表示部７０には、情報が表示される。この例では、表示部７０に表示されるべき情報を示すシンボル（図柄や文字など）に応じた形状を有する１つまたは複数の透光部を操作パネル２０に形成することにより、表示部７０が操作パネル２０に設けられている。そして、表示部７０を構成する１つまたは複数の透光部に対して発光部４０から光が選択的に照射されることにより、その表示部７０に情報が選択的に表示される。
【００２６】
〔表示部の種類〕
この例では、複数の表示部７０には、波形表示部７１や、２つの数値表示部（第１数値表示部７２ａと第２数値表示部７２ｂ）や、２つの付加情報表示部（第１付加情報表示部７３ａと第２付加情報表示部７３ｂ）や、シーケンス関連情報表示部７４などが含まれている。
【００２７】
〈波形表示部〉
波形表示部７１には、シーケンス選択キー５１の操作により選択された溶接シーケンスに応じたシーケンス波形（溶接電流の波形の概略形状）が表示される。この例では、複数の溶接シーケンスにそれぞれ対応する複数のシーケンス波形を表現するための複数のセグメントにそれぞれ対応する複数の透光部を操作パネル２０に形成することにより、波形表示部７１が操作パネル２０に設けられている。そして、波形表示部７１を構成する複数の透光部（セグメント）に対して発光部４０からの光が選択的に照射されることにより、複数のシーケンス波形が選択的に表示される。
【００２８】
図３に示すように、この波形表示部７１では、１０個のセグメント（第１〜第１０セグメント７１ａ〜７１ｊ）により８つのシーケンス波形が表現可能となっている。具体的には、シーケンス波形が７つの区間に分割されている。すなわち、溶接シーケンスには７つの処理工程が含まれており、シーケンス波形の７つの区間は、溶接シーケンスの７つの処理工程にそれぞれ対応している。第１番目の区間は、プリフロー期間に対応する区間であり、第１セグメント７１ａにより表現される。第２番目の区間は、クレータ溶接の有無を選択可能な期間に対応する区間であり、第２セグメント７１ｂと第３セグメント７１ｃにより選択的に表現される。第３番目の区間は、立ち上がり期間に対応する区間であり、第４セグメント７１ｄにより表現される。第４番目の区間は、本溶接期間に対応する区間であり、第５セグメント７１ｅと第６セグメント７１ｆにより選択的に表現される。第５番目の区間は、立ち下がり期間に対応する区間であり、第７セグメント７１ｇにより表現される、第６番目の区間は、クレータ溶接の有無を選択可能な期間に対応する区間であり、第８セグメント７１ｈと第９セグメント７１ｉにより選択的に表現される、第７番目の区間は、アフターフロー期間に対応する区間であり、第１０セグメント７１ｊにより表現される。
【００２９】
〈第１数値表示部〉
第１数値表示部７２ａには、所定桁（この例では三桁）の任意の数値が表示される。この例では、三桁の任意の数値を表現するための複数のセグメントにそれぞれ対応する複数の透光部を操作パネル２０に形成することにより、第１数値表示部７２ａが操作パネル２０に設けられている。そして、第１数値表示部７２ａを構成する複数の透光部（セグメント）に対して発光部４０からの光が選択的に照射されることにより、第１数値表示部７２ａに三桁の任意の数値が表示される。
【００３０】
〈第１付加情報表示部〉
第１付加情報表示部７３ａには、第１数値表示部７２ａに表示される数値に関する複数の第１付加情報（この例では「m/min.」と「mm」と「%」と「A」と「Hz」の５つの単位）が選択的に表示される。この例では、複数の第１付加情報を示すシンボル（単位や符号などを示すシンボル）に応じた形状を有する複数の透光部を操作パネル２０に形成することにより、第１付加情報表示部７３ａが操作パネル２０に設けられている。そして、第１付加情報表示部７３ａを構成する複数の透光部に発光部４０からの光が選択的に照射されることにより、第１数値表示部７２ａに複数の第１付加情報が選択的に表示される。
【００３１】
〈第２数値表示部〉
第２数値表示部７２ｂには、所定桁（この例では三桁）の任意の数値が表示される。なお、第２数値表示部７２ｂの構成は、第１数値表示部７２ａの構成と同様となっている。
【００３２】
〈第２付加情報表示部〉
第２付加情報表示部７３ｂには、第２数値表示部７２ｂに表示される数値に関する複数の第２付加情報（この例では「sec.」と「V」の２つの単位と「±」の符号）が選択的に表示される。なお、第２付加情報表示部７３ｂの構成は、第１付加情報表示部７３ａの構成と同様となっている。
【００３３】
〈シーケンス関連情報表示部〉
シーケンス関連情報表示部７４には、波形表示部７１に表示されるシーケンス波形に対応する溶接シーケンスに関する情報（例えば溶接シーケンスにおけるクレータ溶接の有無など）が表示される。この例では、溶接シーケンスに関する情報を示すシンボルに応じた形状を有する透光部を操作パネル２０に形成することにより、シーケンス関連情報表示部７４が操作パネル２０に設けられている。そして、シーケンス関連情報表示部７４を構成する透光部に発光部４０からの光が選択的に照射されることにより、シーケンス関連情報表示部７４に情報が選択的に表示される。
【００３４】
〈波形タッチセンサ〉
なお、上述の複数のタッチセンサ３０には、それぞれが波形表示部７１に表示されるシーケンス波形の一部に対応する複数の波形タッチセンサ３３が含まれている。複数の波形タッチセンサ３３の各々は、波形表示部７１に表示されたシーケンス波形の一部（その波形タッチセンサ３３に対応するシーケンス波形の一部）がタッチされたことを検知する。この例では、複数の波形タッチセンサ３３の各々は、波形表示部７１に表示されるシーケンス波形の一部の背面側に配置されている。そして、複数の波形タッチセンサ３３による検知の結果（検知信号）は、操作制御部１２に送信される。これにより、操作制御部１２は、複数の波形タッチセンサ３３による検知の結果に基づいて、波形表示部７１に表示されたシーケンス波形の一部がタッチされたことを検出することができる。
【００３５】
図３に示すように、この例では、８つの波形タッチセンサ（第１〜第８波形タッチセンサ３３ａ〜３３ｈ）が設けられている。第１波形タッチセンサ３３ａは、シーケンス波形の第１番目の区間を表現する第１セグメント７１ａに対応し、第２波形タッチセンサ３３ｂは、シーケンス波形の第２番目の区間を表現する第２セグメント７１ｂおよび第３セグメント７１ｃに対応し、第３波形タッチセンサ３３ｃは、シーケンス波形の第３番目の区間を表現する第４セグメント７１ｄに対応し、第４波形タッチセンサ３３ｄおよび第５波形タッチセンサ３３ｅは、シーケンス波形の第４番目の区間を表現する第５セグメント７１ｅおよび第６セグメント７１ｆにそれぞれ対応し、第６波形タッチセンサ３３ｆは、シーケンス波形の第５番目の区間を表現する第７セグメント７１ｇに対応し、第７波形タッチセンサ３３ｇは、シーケンス波形の第６番目の区間を表現する第８セグメント７１ｈおよび第９セグメント７１ｉに対応し、第８波形タッチセンサ３３ｈは、シーケンス波形の第７番目の区間を表現する第１０セグメント７１ｊに対応している。
【００３６】
〈表示ウィンドウ〉
表示ウィンドウ８０は、溶接条件を示す画像やホーム画面やメニュー画面などの各種画像を表示する。例えば、表示ウィンドウ８０は、液晶表示パネルと、液晶表示パネルを駆動する駆動回路とによって構成されている。
【００３７】
〔操作制御部の動作〕
操作制御部１２は、溶接機１０の起動時に起動処理が行われるように操作部１１を制御する。また、操作制御部１２は、起動後の溶接機１０においてシーケンス選択処理（溶接シーケンスを選択する処理）などの各種処理が行われるように操作部１１を制御する。なお、この例では、操作制御部１２は、複数の操作キー５０のうち操作が有効となる操作キー５０が点灯状態となり操作が有効とならない操作キー５０が消灯状態となるように操作部１１（具体的には発光部４０）を制御する。
【００３８】
〈起動処理〉
起動処理では、操作制御部１２は、操作部１１が予め定められた起動初期状態となるように操作部１１を制御する。
【００３９】
図４に示すように、起動初期状態では、予め定められた溶接条件（例えば記憶部１３に記憶されている標準の溶接条件）を示す画像が表示ウィンドウ８０に表示される。また、複数の操作キー５０のうち操作が有効となる操作キー５０（図４において黒塗りされた複数の操作キー５０）が点灯状態となり、スライダホイール６０が点灯状態となる。また、波形表示部７１に予め定められたシーケンス波形（例えば標準の溶接条件に対応する溶接シーケンスに応じたシーケンス波形）が表示され、第１数値表示部７２ａと第１付加情報表示部７３ａに予め定められた電流値（例えば標準の溶接条件に対応する電流値）が表示され、第２数値表示部７２ｂと第２付加情報表示部７３ｂに予め定められた電圧値（例えば標準の溶接条件に対応する電圧値）が表示される。なお、図４において、黒塗りの部分は、点灯状態となっている部分である。図５および図６においても同様である。
【００４０】
〈シーケンス選択処理〉
また、操作制御部１２は、シーケンス選択キー５１がタッチされると、操作部１１においてシーケンス選択処理が開始されるように操作部１１を制御する。そして、操作制御部１２は、シーケンス選択処理においてシーケンス選択キー５１がタッチされると、シーケンス選択キー５１のタッチに応じて波形表示部７１に表示されるシーケンス波形が変化するように操作部１１を制御する。
【００４１】
図５に示すように、シーケンス選択キー５１がタッチされると、波形表示部７１とシーケンス関連情報表示部７４と表示ウィンドウ８０の状態は、第１状態Ｓ１１と第２状態Ｓ１２と第３状態Ｓ１３のいずれか１つに設定される。その後、シーケンス選択キー５１がタッチされる毎に、波形表示部７１とシーケンス関連情報表示部７４と表示ウィンドウ８０の状態が第１状態Ｓ１１と第２状態Ｓ１２と第３状態Ｓ１３とに順に遷移していく。また、波形表示部７１とシーケンス関連情報表示部７４と表示ウィンドウ８０の状態が第１状態Ｓ１１と第２状態Ｓ１２と第３状態Ｓ１３のいずれか１つに設定されている場合に、シフトキー５４がタッチされた後にシーケンス選択キー５１がタッチされると、波形表示部７１とシーケンス関連情報表示部７４と表示ウィンドウ８０の状態が第４状態Ｓ１４に遷移する。そして、波形表示部７１とシーケンス関連情報表示部７４と表示ウィンドウ８０の状態が第４状態Ｓ１４に設定されている場合に、シーケンス選択キー５１がタッチされると、波形表示部７１とシーケンス関連情報表示部７４と表示ウィンドウ８０の状態が元の状態（第１状態Ｓ１１と第２状態Ｓ１２と第３状態Ｓ１３のいずれか１つ）に遷移する。
【００４２】
第１状態Ｓ１１では、波形表示部７１にクレータ溶接なしの溶接シーケンスに対応するシーケンス波形が表示される。具体的には、第１セグメント７１ａと第２セグメント７１ｂと第４セグメント７１ｄと第５セグメント７１ｅと第７セグメント７１ｇと第８セグメント７１ｈと第１０セグメント７１ｊとが点灯状態となることにより、クレータ溶接なしの溶接シーケンスに対応するシーケンス波形が表示される。また、表示ウィンドウ８０には、制御法の欄に「クレータ無」の文字が記載された画像（すなわち選択されている溶接シーケンスがクレータ溶接なしの溶接シーケンスであることを示す画像）が表示される。
【００４３】
第２状態Ｓ１２では、波形表示部７１にクレータ溶接ありの溶接シーケンスに対応するシーケンス波形が表示される。具体的には、第１セグメント７１ａと第２セグメント７１ｂと第４セグメント７１ｄと第５セグメント７１ｅと第７セグメント７１ｇと第９セグメント７１ｉと第１０セグメント７１ｊとが点灯状態となることにより、クレータ溶接ありの溶接シーケンスに対応するシーケンス波形が表示される。また、表示ウィンドウ８０には、制御法の欄に「クレータ有」の文字が記載された画像（すなわち選択されている溶接シーケンスがクレータ溶接ありの溶接シーケンスであることを示す画像）が表示される。また、シーケンス関連情報表示部７４には、波形表示部７１に表示されたシーケンス波形がクレータ溶接ありの溶接シーケンスに対応するシーケンス波形であることを示すシンボルが表示される。
【００４４】
第３状態Ｓ１３では、波形表示部７１に初期クレータ溶接ありの溶接シーケンスに対応するシーケンス波形が表示される。具体的には、第１セグメント７１ａと第３セグメント７１ｃと第４セグメント７１ｄと第５セグメント７１ｅと第７セグメント７１ｇと第９セグメント７１ｉと第１０セグメント７１ｊとが点灯状態となることにより、初期クレータ溶接ありの溶接シーケンスに対応するシーケンス波形が表示される。また、表示ウィンドウ８０には、制御法の欄に「初期クレータ有」の文字が記載された画像（すなわち選択されている溶接シーケンスが初期クレータ溶接ありの溶接シーケンスであることを示す画像）が表示される。また、シーケンス関連情報表示部７４には、波形表示部７１に表示されたシーケンス波形がクレータ溶接ありの溶接シーケンスに対応するシーケンス波形であることを示すシンボルが表示される。
【００４５】
第４状態Ｓ１４では、波形表示部７１にクレータ溶接なしの溶接シーケンスに対応するシーケンス波形が表示される。具体的には、第１セグメント７１ａと第２セグメント７１ｂと第４セグメント７１ｄと第５セグメント７１ｅと第７セグメント７１ｇと第８セグメント７１ｈと第１０セグメント７１ｊとが点灯状態となることにより、クレータ溶接なしの溶接シーケンスに対応するシーケンス波形が表示される。また、表示ウィンドウ８０には、制御法の欄に「アークスポット」の文字が記載された画像が表示される。
【００４６】
〈部分設定処理〉
また、操作制御部１２は、シーケンス選択処理において波形表示部７１に表示されたシーケンス波形の一部がタッチされると、そのタッチされたシーケンス波形の一部に対応する溶接シーケンスの一部（１つの処理工程）に対して部分設定処理（溶接シーケンスの一部に関する設定）が開始されるように操作部１１を制御する。部分設定処理では、溶接シーケンスの一部に関する電流値または電圧値が設定され、その電流値または電圧値が数値表示部（第１数値表示部７２ａまたは第２数値表示部７２ｂ）に表示される。
【００４７】
例えば、図６に示すように、波形表示部７１に表示されたシーケンス波形の第４番目の区間を表現するセグメント（図６の例では第５セグメント７１ｅ）がタッチされると、そのタッチされたセグメントが点滅してシーケンス波形の第４番目の区間が部分設定処理の対象となる。シーケンス波形の第４番目の区間に対する部分設定処理では、電流値が設定の対象となっている。ここで、電流電圧切り換えキー５２がタッチされると、設定の対象が電流値から電圧値に切り換えられ、電流電圧切り換えキー５２が再びタッチされると、設定の対象が電圧値から電流値に切り換えられる。シーケンス波形の第４番目の区間における電流値が設定の対象となっている場合、スライダホイール６０に与えられる操作に応じて第１数値表示部７２ａに表示される数値（すなわち電流値）が変化する。一方、シーケンス波形の第４番目の区間における電圧値が設定の対象となっている場合、スライダホイール６０に与えられる操作に応じて第２数値表示部７２ｂに表示される数値（すなわち電圧値）が変化する。そして、波形表示部７１に表示されたシーケンス波形の第４番目の区間を表現するセグメント（図６の例では第５セグメント７１ｅ）が再びタッチされると、シーケンス波形の第４番目の区間における電流値（または電圧値）が第１数値表示部７２ａに表示された電流値（または第２数値表示部７２ｂに表示された電圧値）に設定（確定）される。なお、部分設定処理では、電流値や電圧値の他に、プリフロー時間などの処理時間の長さやパルス周波数などが設定されてもよい。
【００４８】
〔実施形態による効果〕
以上のように、シーケンス選択キー５１の操作により選択された溶接シーケンスに応じたシーケンス波形（溶接波形の概略形状）を波形表示部７１に表示させることにより、設定されている溶接シーケンスの状態を操作者に目視で確認させることができる。これにより、操作者による溶接機１０の操作を容易にすることができる。
【００４９】
また、シーケンス選択キー５１のタッチに応じて波形表示部７１に表示されるシーケンス波形を変化させることにより、操作者は、複数のシーケンス波形を１つずつ順番に目視で確認して複数のシーケンス波形の中から所望のシーケンス波形（溶接シーケンス）を選択することができる。これにより、操作者による溶接機１０の操作を容易にすることができる。
【００５０】
また、この例では、波形表示部７１に表示されたシーケンス波形の一部がタッチされると、そのタッチされたシーケンス波形の一部に対応する溶接シーケンスの一部に対して部分設定処理（溶接シーケンスの一部に関する設定、具体的には電流値または電圧値の設定）が開始される。そのため、操作者は、波形表示部７１に表示されたシーケンス波形の中から部分設定処理の実施を希望する部分（シーケンス波形の一部）を容易に選択することができる。これにより、操作者による溶接機１０の操作を容易にすることができる。
【００５１】
また、複数の操作キー５０のうち操作が有効となる操作キー５０が点灯状態となり操作が有効とならない操作キー５０が消灯状態となるように、操作部１１を制御することにより、操作者は、複数の操作キー５０の中から操作が有効となる操作キー５０を容易に探し出すことができる。これにより、操作者による溶接機１０の操作を容易にすることができる。
【００５２】
また、シート状に形成された操作パネル２０に複数の操作キー５０と複数の表示部７０を設けることにより、操作部１１の操作面を平坦にすることができる。これにより、操作部１１の掃除を容易にすることができる。
【００５３】
また、スライダホイール６０の外周縁部の面高さをスライダホイール６０の内周部（の外周縁部よりもスライダホイール６０の中心側の部分）の面高さよりも高くすることにより、操作者は、スライダホイール６０の外周縁部の段差によりスライダホイール６０の位置を確認することができるので、操作部１１に表示された情報を見ながらスライダホイール６０を操作することができる。これにより、操作者による溶接機１０の操作を容易にすることができる。
【００５４】
（実施形態の変形例）
なお、複数の操作キー５０は、点灯状態における点灯の態様が切り換え可能であってもよい。そして、操作制御部１２は、複数の操作キー５０のうち次に操作されることが推奨される操作キー５０の点灯の態様が次に操作されることが推奨されない操作キー５０の点灯の態様と異なる態様となるように操作部１１を制御してもよい。
【００５５】
例えば、複数の操作キー５０は、点灯色を複数の色に切り換え可能であってもよい。具体的には、発光部４０は、複数の色の光を選択的に照射するように構成されていてもよい。そして、操作制御部１２は、複数の操作キー５０のうち次に操作されることが推奨される操作キー５０の点灯色が次に操作されることが推奨されない操作キー５０の点灯色と異なる色となるように操作部１１を制御してもよい。
【００５６】
または、操作制御部１２は、複数の操作キー５０のうち次に操作されることが推奨される操作キー５０が点滅して次に操作されることが推奨されない操作キー５０が点滅しないように操作部１１を制御してもよい。
【００５７】
以上のように、複数の操作キー５０のうち次に操作されることが推奨される操作キー５０の点灯の態様が次に操作されることが推奨されない操作キー５０の点灯の態様と異なる態様となるように操作部１１を制御することにより、操作者は、複数の操作キー５０の中から次に操作されることが推奨される操作キー５０を容易に探し出すことができる。これにより、操作者による溶接機１０の操作を容易にすることができる。
【００５８】
（その他の実施形態）
また、以上の実施形態を適宜組み合わせて実施してもよい。以上の実施形態は、本質的に好ましい例示であって、この発明、その適用物、あるいはその用途の範囲を制限することを意図するものではない。
【産業上の利用可能性】
【００５９】
以上説明したように、ここに開示する技術は、溶接機に有用である。
【符号の説明】
【００６０】
１０          溶接機
１１          操作部
１２          操作制御部
１３          記憶部
１４          溶接出力部
１５          溶接制御部
２０          操作パネル
３０          タッチセンサ
３１          キータッチセンサ
３２          スライダホイールタッチセンサ
３３          波形タッチセンサ
４０          発光部
５０          操作キー
５１          シーケンス選択キー
５２          電流電圧切り換えキー
６０          スライダホイール
７０          表示部
７１          波形表示部
７２ａ        第１数値表示部
７２ｂ        第２数値表示部
７３ａ        第１付加情報表示部
７３ｂ        第２付加情報表示部
８０          表示ウィンドウ
【図１】
2019203279.tif 000003
【図２】
2019203279.tif 000004
【図３】
2019203279.tif 000005
【図４】
2019203279.tif 000006
【図５】
2019203279.tif 000007
【図６】
2019203279.tif 000008
【国際調査報告】
2019203279.tif 000009
2019203279.tif 000010
2019203279.tif 000011
2019203279.tif 000012